(57)【要約】【課題】そこで本発明は、ハウジングやカバー部材の形状を変更せずにシール部材の反発力を制御し、ハウジングやカバー部材に局所的な変形を生じさせずに光走査装置全体の密閉性を高める。【解決手段】光学系を収納する光学ハウジンググ１０と、１又は複数のカバー部材１１と、光学ハウジング１０とカバー部材１１との隙間に配置され密閉性を確保するシール部材１７ａとを備えた光走査装置において、シール部材１７ａはカバー部材１１の全周に配置され、カバー部材１１が光学ハウジング１０に締結される締結位置２４，２５の略中央位置３５に位置するシール部材１７の少なくとも一個所に、その厚さ寸法ｄ１がシール部材の他の個所の厚さ寸法ｄ２より小さい異形部１８を形成した。【選択図】図９
2010066431.tif 000002
【特許請求の範囲】
【請求項１】
光源と、光源からの光を光照射対象に照射してこれを走査する走査手段と、
前記光源から前記光照射対象までの光路上に設けられる光学素子と、
前記走査手段及び前記光学素子を含む光学系を収納するハウジングと、
ハウジングを覆うための１又は複数のカバー部材と、
前記ハウジングと前記カバー部材との隙間に配置され密閉性を確保するシール部材とを備えた光走査装置において、
前記シール部材は前記カバー部材の全周に配置され、
各カバー部材が前記ハウジングに締結される締結位置の略中央に位置するシール部材の少なくとも一個所に、その厚さ寸法をシール部材の他の個所と異なる異形部を形成したことを特徴とする光走査装置。
【請求項２】
前記異形部の厚さ寸法は、シール部材の他の部分の厚さ寸法より小さいことを特徴とする請求項１記載の特徴とする光走査装置。
【請求項３】
前記異形部の厚さ寸法は、シール部材の他の部分の厚さ寸法より大きいことを特徴とする請求項１記載の特徴とする光走査装置。
【請求項４】
光源と、光源からの光を光照射対象に照射してこれを走査する走査手段と、
前記光源から前記光照射対象までの光路上に設けられる光学素子と、
前記走査手段及び前記光学素子を含む光学系を収納するハウジングと、
前記ハウジングの上側を覆う上カバー部材と、
前記ハウジングの下側を覆う下カバー部材と、
前記上カバー部材及び下カバー部材とハウジングの隙間に配置され密閉性を確保するシール部材とを備えた光走査装置において、
前記シール部材は上カバー部材及び下カバー部材の全周に配置され、
前記各カバー部材とハウジングとの締結方向と垂直な平面における上カバー部材のシール位置と下カバー部材のシールの配置位置がハウジング中心部から放射方向にずれているとき、当該個所に配置するシール部材にその厚さ寸法がシール部材の他の部分と異なる異形部を形成したことを特徴とする光走査装置。
【請求項５】
前記各カバー部材とハウジングの締結方向と垂直な平面における上カバー部材のシール位置と下カバー部材のシール位置がハウジングの中心部から放射方向にずれているとき、２つのシール部材のうち、ハウジング中央からの距離が長い側のシール部材にその厚さ寸法が他の部分の厚さ寸法より小さい異形部を形成し、若しくは、前記距離の短い側のシール部材にその厚さ寸法が他の部分の厚さ寸法より大きい異形部を形成し、
又は、
各シール部材にそれぞれ異形部を形成したことを特徴とする請求項４記載の光走査装置。
【請求項６】
光源と、光源からの光を光照射対象に照射してこれを走査する走査手段と、
前記光源から前記光照射対象までの光路上に設けられる光学素子と、
前記走査手段及び前記光学素子を含む光学系を収納するハウジングと、
前記ハウジングの上側を覆う上カバー部材と、
前記ハウジングの下側を覆う下カバー部材と、
前記上カバー部材及び下カバー部材とハウジングの隙間に配置され密閉性を確保するシール部材とを備えた光走査装置において、
前記シール部材は上カバー部材及び下カバー部材の全周に配置され、
前記各カバー部材とハウジングの締結方向と垂直な平面における上カバー部材のシール位置と下カバー部材のシール位置がハウジングの中心部から放射方向にずれているとき、当該ずれが発生している個所に上カバー部材又は下カバー部材とハウジングとの隙間寸法が他の部分と異なる異寸法部を形成したことを特徴とする光走査装置。
【請求項７】
前記各カバー部材とハウジングの締結方向と垂直な平面における上カバー部材のシール位置と下カバー部材のシール位置がハウジングの中心部から放射方向にずれているとき、ハウジング中央からの距離が長い接合個所にその間隔寸法が他の部分の間隔寸法より大きい異寸法部を形成し、若しくは、前記距離の短い接合個所にその間隔寸法が他の部分の間隔寸法より小さい異寸法部を形成し、
又は、
各接合個所にそれぞれ異形部を形成したことを特徴とする請求項６記載の光走査装置。
【請求項８】
前記異形部をシール部材の他の部分と別部品としたことを特徴とする請求項１乃至５のいずれか記載の光走査装置。
【請求項９】
請求項１乃至９のいずれか記載の光走査装置を備えることを特徴とする画像形成装置。
【発明の詳細な説明】
【技術分野】
【０００１】
本発明は光操作装置及び画像形成装置に係り、特に光源と、光源からの光を光照射対象に照射してこれを走査する走査手段と、前記光源から前記光照射対象までの光路上に設けられる光学素子と、前記光学素子を収納するハウジングと、ハウジングを覆うための１つ以上のカバー部材と、前記カバー部材とハウジングの隙間に配置され装置全体の密閉性を確保するシール部材とを備えた光走査装置及びこの光走査装置を備えた画像形成装置に関する。
【背景技術】
【０００２】
レーザープリンタ、デジタル複写機、レーザーＦＡＸ等における画像形成装置は、光源からの光ビームを偏向走査する正多角形に形成されたポリゴンミラーと、このポリゴンミラーによって走査された光ビームを感光体面上に結像するための光学素子（走査レンズ）を備えると共に、書込開始位置を決定するために、有効露光領域外の走査開始側に光検知器が設けられている光走査装置を搭載している。
【０００３】
前記光走査装置は、レンズやミラーなどの光学素子を利用し感光体まで光を照射するものであり、ほこりなどの微小な異物が前記光学素子に付着すると、感光体面に形成される走査線に影響を与えてしまい、白すじや画像抜けなどの異常画像が発生してしまう。このため、光走査装置は各光学素子を搭載したハウジングにカバー部材をすることで密閉した構造を取ることが多い。
【０００４】
一方、ポリゴンミラーは、光源からのビームを偏向するため、高速回転しているのでその近傍の気流の変化は大きく、特に遠心力でポリゴン中心では気圧が低下し、回りの空気を吸い込んでしまうこととなる。
【０００５】
このため、空気中の滞留物まで吸い込み、長時間の運転でポリゴンミラーの反射面が曇ってしまうことがある。そこで、ポリゴンミラーを格納する空間をハウジング内に別途設け、そこを密閉することで対策する方法がある。しかし対向走査方式を採用する光走査装置は、その光路や光学素子の配置などが非常に入り組んだ構成となることが多く、場合によってはポリゴンを格納する空間を確保できないことがある。
【０００６】
通常、ハウジングはカバー部材とねじを使い締結することで密閉構成を作るものの、カバー部材とハウジングの微小な隙間は存在してしまう。このため、ほこりなどのある程度の大きさを持つ異物はカバー部材による密閉で装置内への侵入は防げるが、例えば１μｍ以下のごく微小な滞留物に関しては、ポリゴンの気流の関係もありカバー部材の隙間から吸い込まれてしまうこととなる。この滞留物がレンズ・ミラー等の光学素子に付着して異常画像を導くことはないが、その濃度が高くなるとポリゴンミラー面に付着し曇らせることが起こりうる。
【０００７】
そこで、ハウジングとカバー部材の合わせ面の微小な隙間を埋めるため、カバー部材全周にスポンジ製のシールを配置し、光走査装置全体の密閉性を向上させる構造を採用することがある。この構造はシールの厚さを調整することでカバー部材とハウジングのねじ締結時のシールつぶし量を変えることができ、その密閉性を一定量コントロールできる。しかし、ハウジングとカバー部材の間でつぶすため、カバー部材とハウジングにはシールが押しつぶされる際に発生する反発力が作用し、つぶし量が大きいと密閉性を高めることができるがその分反発力も大きくなり、ハウジングやカバー部材を変形させてしまうおそれがある。カバー部材とハウジングをねじ部材で締結する場合、この反発力による変形はねじ部材の締結位置やハウジングやカバー部材の剛性、またハウジングの外形形状により決まるため、ハウジング等の変形は複雑ものとなる。
【０００８】
また、光学素子のハウジングはその機能上、光学素子の配置や光路の確保、強度向上用のリブなどのため、内部及び外部は複雑な形状を取ることが多く、ときシールからの反発力により局所的に変形し、その光学特性に影響する場合がある。
【０００９】
特許文献１には、光源装置が発する光ビームを回転多面鏡の偏向反射面に入射して偏向させた後に、偏向した光ビームを２台のｆθレンズ、折り返しミラー及びＢＬＴレンズを介して感光体上に光スポットとして集光し、光源装置と回転多面鏡とｆθレンズとがハウジング内に収納され、ハウジングの開口部がカバー部材で塞がれた光ビーム走査装置であって、ハウジングに、光源装置、回転多面鏡及びｆθレンズとがそれぞれ独立した空間に密閉して収納されるように仕切壁を設けたものが記載されている。
【００１０】
また、特許文献２には、光源から出射されたレーザー光を偏向する回転多面鏡を備えたポリゴンスキャナと、該ポリゴンスキャナを支持する光学ハウジングとを備えた光走査装置であって、ポリゴンスキャナを包囲するように光学ハウジングに設けられた側壁と、該側壁の一部を構成し回転多面鏡にて偏向されたレーザー光を側壁外部に透過させる透過型光学素子と、を備えたものが記載されている。
【００１１】
更に、特許文献３には、光源から出射されたレーザー光を偏向する回転多面鏡を備えたポリゴンスキャナと、該ポリゴンスキャナを支持する光学ハウジングと、ポリゴンスキャナを包囲するように光学ハウジングに立設された側壁と、該側壁の一部を構成し回転多面鏡にて偏向されたレーザー光を側壁外部に透過させる透過型光学素子と、側壁上端縁に固定されることにより側壁内の空間を閉止する板状カバー部材と、側壁の上端縁と板状カバー部材との間に介在して間隙を密封する弾性シール部材とを備えた光走査装置であって、上記弾性シール部材に、板状カバー部材の一部を露出させるための穴を設けたものが記載されている。
【特許文献１】特開２００６−０７８９０３公報
【特許文献２】特開２００４−１９２０１０公報
【特許文献３】特開２０００−０９８２８７公報
【発明の開示】
【発明が解決しようとする課題】
【００１２】
しかしながら、特許文献１や特許文献２に記載のもの、ポリゴンモータ周辺を密閉構成とすることでポリゴンミラーから発生する熱や騒音を閉じ込め、対策するものであり、ハウジング全体を密閉の対象とするものではないし、非常に微小な異物に対して密閉性が確保されているものでもない。
【００１３】
また特許文献３に記載のものは、カバー部材とハウジングの間にシール部材を使用し、密閉性を高めているが、シール部材はポリゴンモータの熱及び騒音対策として設けられるものであり、ポリゴンを格納する空間をハウジング内に別途設けることができない場合には適用されない。
【００１４】
そこで本発明は、ハウジングやカバー部材の形状を変更せずにシール部材の反発力を制御し、ハウジングやカバー部材に局所的な変形を生じさせずに光走査装置全体の密閉性を高めることができる光走査装置、及びこの光走査装置を搭載した画像形成装置を提供することを目的とする。
【課題を解決するための手段】
【００１５】
請求項１の発明は、光源と、光源からの光を光照射対象に照射してこれを走査する走査手段と、前記光源から前記光照射対象までの光路上に設けられる光学素子と、前記走査手段及び前記光学素子を含む光学系を収納するハウジングと、ハウジングを覆うための１又は複数のカバー部材と、前記ハウジングと前記カバー部材との隙間に配置され密閉性を確保するシール部材とを備えた光走査装置において、前記シール部材は前記カバー部材の全周に配置され、各カバー部材が前記ハウジングに締結される締結位置の略中央に位置するシール部材の少なくとも一個所にその厚さ寸法をシール部材の他の個所と異なる異形部を形成したことを特徴とする光走査装置である。
【００１６】
請求項２の発明は、請求項１記載の光走査装置において、前記異形部の厚さ寸法は、シール部材の他の部分の厚さ寸法より小さいことを特徴とする。
【００１７】
請求項３の発明は、請求項１記載の光走査装置において、前記異形部の厚さ寸法は、シール部材の他の部分の厚さ寸法より大きいことを特徴とする。
【００１８】
請求項４の発明は、光源と、光源からの光を光照射対象に照射してこれを走査する走査手段と、前記光源から前記光照射対象までの光路上に設けられる光学素子と、前記走査手段及び前記光学素子を含む光学系を収納するハウジングと、前記ハウジングの上側を覆う上カバー部材と、前記ハウジングの下側を覆う下カバー部材と、前記上カバー部材及び下カバー部材とハウジングの隙間に配置され密閉性を確保するシール部材とを備えた光走査装置において、前記シール部材は上カバー部材及び下カバー部材の全周に配置され、前記各カバー部材とハウジングとの締結方向と垂直な平面における上カバー部材のシール位置と下カバー部材のシールの配置位置がハウジング中心部から放射方向にずれているとき、当該個所に配置するシール部材にその厚さ寸法がシール部材の他の部分と異なる異形部を形成したことを特徴とする光走査装置。
【００１９】
請求項５の発明は、請求項４記載の光走査装置において、前記各カバー部材とハウジングの締結方向と垂直な平面における上カバー部材のシール位置と下カバー部材のシール位置がハウジングの中心部から放射方向にずれているとき、２つのシール部材のうち、ハウジング中央からの距離が長い側のシール部材にその厚さ寸法が他の部分の厚さ寸法より小さい異形部を形成し、若しくは、前記距離の短い側のシール部材にその厚さ寸法が他の部分の厚さ寸法より大きい異形部を形成し、又は、各シール部材にそれぞれ異形部を形成したことを特徴とする。
【００２０】
請求項６の発明は、光源と、光源からの光を光照射対象に照射してこれを走査する走査手段と、前記光源から前記光照射対象までの光路上に設けられる光学素子と、前記走査手段及び前記光学素子を含む光学系を収納するハウジングと、前記ハウジングの上側を覆う上カバー部材と、前記ハウジングの下側を覆う下カバー部材と、前記上カバー部材及び下カバー部材とハウジングの隙間に配置され密閉性を確保するシール部材とを備えた光走査装置において、前記シール部材は上カバー部材及び下カバー部材の全周に配置され、前記各カバー部材とハウジングの締結方向と垂直な平面における上カバー部材のシール位置と下カバー部材のシール位置がハウジングの中心部から放射方向にずれているとき、当該ずれが発生している個所に上カバー部材又は下カバー部材とハウジングとの隙間寸法が他の部分と異なる異寸法部を形成したことを特徴とする光走査装置である。
【００２１】
請求項７の発明は、請求項６記載の光走査装置において、前記各カバー部材とハウジングの締結方向と垂直な平面における上カバー部材のシール位置と下カバー部材のシール位置がハウジングの中心部から放射方向にずれているとき、ハウジング中央からの距離が長い接合個所にその間隔寸法が他の部分の間隔寸法より大きい異寸法部を形成し、若しくは、前記距離の短い接合個所にその間隔寸法が他の部分の間隔寸法より小さい異寸法部を形成し、又は、各接合個所にそれぞれ異形部を形成したことを特徴とする。
【００２２】
請求項８の発明は、請求項１乃至５のいずれか記載の光走査装置において、前記異形部をシール部材の他の部分と別部品としたことを特徴とする。
【００２３】
請求項９の発明は、請求項１乃至９のいずれか記載の光走査装置を備えることを特徴とする画像形成装置である。
【発明の効果】
【００２４】
本発明に係る光走査装置及び画像形成装置によれば、変形しやすい各締結位置間の略中央部に位置するシール部材にその厚さが異なる異形部を形成する、若しくはこの部分のハウジング及びカバー部材の接合個所の間隔寸法が異なる異寸法部を配置するので、ハウジング及びカバー部材に負荷するシール部材の反発力を制御することができ、ハウジング及びカバー部材の変形を容易且つ低コストで防止することができる。
【発明を実施するための最良の形態】
【００２５】
以下本発明を実施するための最良の形態としての実施例を図面に基づいて説明する。
【実施例】
【００２６】
以下本実施例に係る画像形成装置を図面に基づいて説明する。本例で画像形成装置としてデジタルカラー書込装置を備えたものとして説明する。図１は実施例に係る画像形成装置のデジタルカラー書込装置を示す概略断面図である。この書込装置は、正多角形の側面に反射ミラーを有し高速回転により、レーザー光を偏向・走査させる２台のポリゴンミラー１ａ，１ｂと、前記ポリゴンミラー１ａ，１ｂから発生する熱気流をレンズに伝えないようにする防音ガラス２ａ，２ｂと、前記ポリゴンミラー１ａによる走査ビームの等角度運動を等速直線運動へと変えるｆθレンズ３ａ，３ｂと、イエロー（Ｙ）、マゼンタ（Ｍ）、シアン（Ｃ）、ブラック（Ｂｋ）の感光体ドラム９ａ、９ｂ、９ｃ、９ｄへとレーザー光を導くミラー４ａ，４ｂ，４ｃ，４ｄ，６ａ，６ｂ，６ｃ，６ｄ，７ａ，７ｂ，７ｃ，７ｄと、副走査方向に絞るためのＬ２レンズ５ａ，５ｂ，５ｃ，５ｄと、光学ハウジング内への塵などの落下を防止する防塵ガラス８ａ，８ｂ，８ｃ，８ｄと、像を形成する前記感光体ドラム９ａ，９ｂ，９ｃ，９ｄとを備える。また画像形成装置は、前記ポリゴンミラー１ａ，１ｂ、ｆθレンズ３ａ，３ｂ、ミラー４ａ，４ｂ，４ｃ，４ｄ，６ａ，６ｂ，６ｃ，６ｄ，７ａ，７ｂ、Ｌ２レンズ５ａ，５ｂ，５ｃ，５ｄを備えた光学系が配置される光学ハウジング１０、光学ハウジングを密閉するための上カバー部材１１、下カバー部材１２で構成されている。なお、図中それぞれの光路を、１３ａ，１３ｂ，１３ｃ，１３ｄとして示している。
【００２７】
次にこのデジタルカラー書込装置を備えた画像形成装置１５について説明する。図２は画像形成装置の概略構成を示す模式断面図である。本例に係る画像形成装置１５は、前記デジタルカラー書込装置の光学ハウジング１０を備える他、書込レーザー光１３ａ，１３ｂ，１３ｃ，１３ｄにより潜像を形成する前記感光体ドラム９ａ，９ｂ，９ｃ，９ｄ、中間転写ベルト１４、給紙トレイ１６、定着装置１９を備える。なお図中矢印Ａは、中間転写ベルト１４の駆動方向を示している。
【００２８】
このような画像形成装置１５では、感光体ドラム９ａ，９ｂ，９ｃ，９ｄに形成された潜像は図示しない各色の現像装置で現像されてトナー像が形成される。そして、各色のトナー像は中間転写ベルト１４に重畳して中間転写されフルカラートナー像が形成され、このフルカラートナー像給は給紙トレイ１６から搬送された印刷用紙に転写される。そして印刷用紙は定着装置１９に搬送されフルカラートナー像は印刷用紙に定着され機外に排出される。
【００２９】
次に実施例に係る光走査装置について説明する。図３は光走査装置の光学ハウジングを示す斜視図である。本例では、ハウジングである光学ハウジング１０の下側には下蓋である下カバー部材１２の締結部２１〜２６においてねじ部材２７によって締結されている。この締結部２１〜２６は、光学ハウジング１０の中央部に２個所（締結部２１，２２）、左右上下に２個所（締結部２３，２４、２５，２５）の計６個所に配置されている。
【００３０】
次にシール部材について説明する。図４はシール部材が配置された下カバー部材を示す平面図、図５は光学ハウジングと下カバー部材の接合状態を示す側方からの斜視図、図６は光学ハウジングと下カバー部材の接合状態を示す下方からの斜視図である。
【００３１】
このような下カバー部材１２においては、６個所の締結部２１〜２６で光学ハウジング１０に固定しただけでは、締結部２１〜２６の間の部分において下カバー部材１２と光学ハウジング１０の間に隙間が存在することとなる。この隙間の大きさは下カバー部材１２のそり量、光学ハウジング１０の接触面の状態による。
【００３２】
そこで、本例では光学ハウジング１０と下カバー部材１２の合わせ面に当たる下カバー部材１２の全周部分にシール部材１７を両面テープなどで貼り付け、締結部２１〜２６でのねじ部材による締結でシール部材１７を押しつぶすことで密閉性を高めている。
【００３３】
図示するように下カバー部材１２の形状は複雑であり、且つ段部が存在するため、シール部材は連続した一部材ではなく多数、この例では１０本の分割シール部材１７ａ〜１７ｊとして下カバー部材１２の全周にうまく合わせて貼ることがようにしている。なお、シール部材１７は光学ハウジング１０側に貼ってもよい。
【００３４】
シール部材１７は光学ハウジング１０と下カバー部材１２で押しつぶされることで反発力が生じる。図７は光走査装置を示すものであり、（ａ）は光学ハウジングと下カバー部材及びシール部材の取付状態を示す模式図、（ｂ）は光学ハウジング及び下カバー部材の変形を示す模式図、図８はシール部材の変形が大きい個所を示す下カバー部材の斜視図である。図７に示すように、ねじ部材２７による締結部付近は、ねじ部材２７による締め付け力により光学ハウジング１０及び下カバー部材１２の変形がないが、ねじ部材２７による締結個所から離れるに従いシール部材１７の反発力は下カバー部材１２及び光学ハウジング１０の剛性だけで支持されるので変形が発生しやすくなる。ここで、変形が発生しやすい個所は図８に示すように、締結部２１〜２６のうち隣り合う締結部の中央位置３１〜３６であることが多い。
【００３５】
そこで、本例では、変形しやすい前記中央部分３１〜３６に位置するシール部材１７にはその厚さ寸法を他の部分より薄くした異形部１８を設けている。図９は実施例に係る光走査装置を示すものであり、（ａ）は光走査装置の模式図、（ｂ）は光学ハウジング及び下カバー部材の変形を示す模式図である。
【００３６】
本例ではシール部材１７のうち前記中央位置３１〜３６に相当する個所例えば中央位置３５に異形部１８を形成している。この異形部１８は、シール部材１７の他の部分の厚さ寸法ｄ２よりその厚さ寸法ｄ２を小さいものとして構成されている。本例ではこの構成により、光学ハウジング１０にかかるシール部材１７の反発力を下げ、光学ハウジング１０及び下カバー部材１２変形を防ぐことができる。本例は、光学ハウジング１０及び下カバー部材１２の形状を変える必要がなく、シール部材１７の形状を変えるだけでよいため、低コストで実現できる。
【００３７】
上記説明では、シール部材１７の一部の厚さ寸法を部分的に変更する場合について説明したが、異形部１８を他の部分と別部材とすることができる。カバー部材と光学ハウジング１０との間にシール部材１７を配置する際、上述のように両面テープなどで固定して配置することがある。この場合、両面テープはシール部材の厚さ方向に配置されるため、シール部材の製造時にシール部材に異形部１８を一体的に設けるとコストが嵩むことになる。そこで、異形部１８を別部材として低コスト化を図る。
【００３８】
次に第２の実施例に係る光走査装置について説明する。図１０は第２実施例に係る光走査装置を示すものであり、（ａ）光走査装置の模式側面図、（ｂ）は光学ハウジング及び下カバー部材の変形量を示す模式図である。本例では、シール部材１７が当接する光学ハウジング１０の上面に、光学ハウジング１０と下カバー部材１２の間隔寸法が他の部分の間隔寸法より大きくなる異寸法部としての凹状部４１を形成している。本例ではこの構成により、凹状部４１のおけるシール部材１７のつぶし量を減少させ、その結果シール部材１７の反発力を下げ、光学ハウジング１０及び下カバー部材１２変形を防ぐことができる。
【００３９】
次に第３の実施例について説明する。この例は光学ハウジング１０に下カバー部材１２だけでなく上カバー部材１１が配置されている場合である。図１１は上カバー部材と下カバー部材が配置された光学ハウジングを示す模式図、図１２は上カバー部材と下カバー部材が配置された光学ハウジングに変形が生じる場合を示す模式図である。本例では光学ハウジング１０と上カバー部材１１の間にシール部材１７ａを、光学ハウジング１０と下カバー部材１２との間にシール部材１７ｂを配置している。
【００４０】
まず、図１１に示すように、上カバー部材１１及び下カバー部材１２と光学ハウジング１０の締結方向と垂直の平面から見たとき、上カバー部材１１及び下カバー部材１２の端部位置が一致している（平面図において上カバー部材１１と下カバー部材１２とが重複している）場合、上カバー部材１１と光学ハウジング１０の間にシール部材１７ａを、下カバー部材１２と光学ハウジング１０の間の全周にシール部材１７ｂを配置しても、両シール部材１７ａ，１７ｂの光学ハウジング１０への反発力は上下で相殺されるため、光学ハウジング１０は変形しにくい。しかし、図１２に示すように、上カバー部材１１及び下カバー部材１２の端部位置がずれているとき、即ち、シール部材１７ａ及びシール部材１７ｂの配置位置がハウジングの中心部から放射方向（図中左方向）にずれている場合、そのずれ量が大きいほど、光学ハウジング１０への反発力の差が大きくなり光学ハウジング１０を変形させてしまうこととなる。
【００４１】
図１３は第３実施例に係る光走査装置の構成を示す模式図である。第１２図では、シール部材１７ａの光学ハウジング１０の中央部から放射方向の距離は上カバー部材のほうが長い。このため、上カバー部材１１に配置されるシール部材１７ａのうち、下カバー部材１２から突出する突出部１７ｃの厚さ寸法ｄ４をシール部材１７ａの他の部分の厚さ寸法ｄ３より小さくして、光学ハウジング１０の変形を小さくしている。
【００４２】
また、本例では、シール部材１７ａの光学ハウジング１０の中心部からの距離の短い下カバー部材１２側のシール部材１７ｂの厚さ寸法を他の部分の厚さ寸法より大きくすることでも同様の効果を得ることができ、シール部材ａ，１７ｂ双方の厚さを変えることで一方の厚さを変える以上の効果を有する。
【００４３】
なお、前記第２実施例では、シール部材ａ，１７ｂの厚さ寸法を変更することで上カバー部材１１及び下カバー部材１２の光学ハウジング１０への接合個所が光学ハウジング１０の中心部から放射方向にずれている場合における光学ハウジング１０の変形を防止したが、上カバー部材１１、下カバー部材１２と光学ハウジング１０との間隔を変更するよう、上カバー部材１１、下カバー部材１２に凸部又は凹部を形成して、シール部材１７ａ、１７ｂの変形量を制御して光学ハウジング１０の変形を防止することができる。このように、両カバー部材１１，１２と光学ハウジング１０との間隔寸法を変更するには、別部材を設ける他、光学ハウジング１０又はカバー部材１１，１２の形状を変更することができる。
【００４４】
なお、光走査装置の設計の初期段階であればカバー部材１１，１２の形状を変更する手法を用いることが好ましく、カバー部材１１，１２の形状を変更するのにコストがかかるようになった場合は、シール厚さを変更するほうが低コストであり好ましい。
【図面の簡単な説明】
【００４５】
【図１】実施例に係る画像形成装置のデジタルカラー書込装置を示す概略断面図である。
【図２】実施例に係る画像形成装置の概略構成を示す模式断面図である。
【図３】光走査装置の光学ハウジングを示す斜視図である。
【図４】シール部材が配置された下カバー部材を示す平面図である。
【図５】光学ハウジングと下カバー部材の接合状態を示す側方からの斜視図である。
【図６】光学ハウジングと下カバー部材の接合状態を示す下方からの斜視図である。
【図７】光走査装置を示すものであり、（ａ）は光学ハウジングと下カバー部材及びシール部材の取付状態を示す模式図、（ｂ）は光学ハウジング及び下カバー部材の変形を示す模式図である。
【図８】シール部材の変形が大きい個所を示す下カバー部材の斜視図である。
【図９】実施例に係る光走査装置を示すものであり、（ａ）は光走査装置の模式図、（ｂ）は光学ハウジング及び下カバー部材の変形を示す模式図である。
【図１０】第２実施例に係る光走査装置を示すものであり、（ａ）光走査装置の模式側面図、（ｂ）は光学ハウジング及び下カバー部材の変形量を示す模式図である。
【図１１】上カバー部材と下カバー部材が配置された光学ハウジングを示す模式図である。
【図１２】上カバー部材と下カバー部材が配置された光学ハウジングに変形が生じる場合を示す模式図である。
【図１３】第３実施例に係る光走査装置の構成を示す模式図である。
【符号の説明】
【００４６】
１ａ，１ｂ  ポリゴンミラー
２ａ，２ｂ  防音ガラス
３ａ，３ｂ  ｆθレンズ
４ａ，４ｂ，４ｃ，４ｄ，６ａ，６ｂ，６ｃ，６ｄ，７ａ，７ｂ，７ｃ，７ｄ  ミラー
８ａ，８ｂ，８ｃ，８ｄ  防塵ガラス
９ａ、９ｂ、９ｃ、９ｄ  感光体ドラム
１０  光学ハウジング
１１  上カバー部材
１２  下カバー部材
１３ａ，１３ｂ，１３ｃ，１３ｄ  書込レーザー光
１４  中間転写ベルト
１５  画像形成装置
１６  給紙トレイ
１７ａ〜１７ｊ  分割シール部材
１７  シール部材
１７ａ  シール部材
１７ｂ  シール部材
１７ｃ  突出部
１８  異形部
１９  定着装置
２１〜２６  締結部
２７  ねじ部材
３１〜３６  中央部分
４１  凹状部
【図１】
2010066431.tif 000003
【図２】
2010066431.tif 000004
【図３】
2010066431.tif 000005
【図４】
2010066431.tif 000006
【図５】
2010066431.tif 000007
【図６】
2010066431.tif 000008
【図７】
2010066431.tif 000009
【図８】
2010066431.tif 000010
【図９】
2010066431.tif 000011
【図１０】
2010066431.tif 000012
【図１１】
2010066431.tif 000013
【図１２】
2010066431.tif 000014
【図１３】
2010066431.tif 000015